(57)【要約】【課題】本発明の課題は、所定の部分の選択を迅速に且つ効率良く行える選択支援システム及び選択支援方法を提供することである。【解決手段】本実施をするための最良の形態の選択支援システムによれば、患者の所定部位の指定を行う際に、表示部１２に表示される人体アイコン画像を用いたＧＵＩから概略部位を選択させることで部位の大まかな範囲を限定し、選択された概略部位に対応する詳細な部位情報を表示部１２に表示する。医師は表示された詳細な部位情報から所望する部位の選択を行う。【選択図】図２
2005080969.tif 000002
【特許請求の範囲】
【請求項１】
被写体モデルが複数の視認可能な部分で構成される被写体アイコン画像を表示する表示手段と、
前記被写体アイコン画像の各部分に関連する詳細情報を記憶する記憶手段と、
前記表示された被写体アイコン画像から所定の部分を指定する指定手段と、
前記指定された部分に関連する前記詳細情報を前記記憶手段から抽出して前記表示手段に表示させる制御手段と、
を備えることを特徴とする選択支援システム。
【請求項２】
前記制御手段は、前記指定された部分に関連する前記詳細情報を前記記憶手段から抽出して前記表示手段に検索可能な状態で表示させることを特徴とする請求項１に記載の選択支援システム。
【請求項３】
前記被写体アイコン画像及び前記指定された部分に関連する詳細部分情報を前記表示手段の同一画面に表示させる画面制御手段を備えることを特徴とする請求項１又は２に記載の選択支援システム。
【請求項４】
被写体モデルが複数の視認可能な部分で構成される被写体アイコン画像を表示させる表示ステップと、
前記表示された被写体アイコン画像から所定の部分を指定する指定ステップと、
前記指定された部分に関連する前記詳細情報を前記表示ステップに表示させる制御ステップと、
を備えることを特徴とする選択支援方法。
【請求項５】
前記制御ステップは、前記指定された部分に関連する前記詳細情報を前記表示ステップに検索可能な状態で表示させることを特徴とする請求項４に記載の選択支援方法。
【請求項６】
前記被写体アイコン画像及び前記指定された部分に関連する詳細情報を同一画面に表示させる画面制御ステップを備えることを特徴とする請求項４又は５に記載の選択支援方法。
【発明の詳細な説明】
【技術分野】
【０００１】
本発明は、被写体の複数の部分から所定の部分の選択を行うユーザに被写体モデルの画像を用いたＧＵＩを提供することにより、該選択を迅速且つ効率良く行うことを可能にする支援システム及び選択支援方法に関する。
【背景技術】
【０００２】
従来、複数の部分から構成される対象物から、所定の部分の選択を行う場合、部分名称が列記された部分情報リスト等から所望する部分の選択を行っている。
【０００３】
医療の分野においては、ＣＲ（Computed Radiography、以下ＣＲと略す）装置、ＣＴ（Computed Tomography、以下ＣＴと略す）装置、ＭＲＩ（Magnetic Resonance Imaging、以下ＭＲＩと略す）装置等のモダリティにより、患者の様々な部位の医用画像が撮影されている。この撮影時の撮影条件を決定するに際しては、例えば、胸部（部位）、正面（撮影方向）、モダリティ（撮影方法）、管電圧（Ｘ線）設定等が一覧表になったリストの中から、所望の撮影条件を選択している。
【０００４】
この撮影時の撮影条件は項目が増えると横長のリストとなるため、１つの条件の項目を全て確認するには画面を左右方向にスクロールさせなければならず、更に、この一覧表は、場合によっては数十ページに及ぶ場合もあるので、画面を上下・左右にスクロールさせながら選択する操作が必要となり選択にはかなりの熟練（又は、初心者にとっては選択時間）を必要とされ、又、文字の羅列であるので、視認しづらいものであった。同様に、過去に撮影した医用画像を参照画像として選択する場合も、医用画像が保存された画像データベースに保存された画像の付帯情報の患者ＩＤ・撮影部位等を含む一覧表から選択するので、同様の問題があった。
【０００５】
人体の所定の部位を選択する方法として、患者の撮影部位の選択に人体の形状に対応する人体モアイコン画像を用いた部位の選択方法が従来提案されている（例えば、特許文献１参照）。
【特許文献１】特開平１１−１５５１４２号公報
【発明の開示】
【発明が解決しようとする課題】
【０００６】
しかしながら、特許文献１の従来技術は、人体アイコン画像で表示された大まかな部位でしか選択することができず、詳細な部位の指定を行うことが不可能であるため、様々な部位が撮影される医用画像の選択方法に適用することは困難である。人体アイコン画像を細分化し表示を行うことで、詳細な撮影部位の指定を可能とすることが考えられるが、細分化することにより視覚による判別がし難くなるため利便性に欠け、医師の視覚に負担をかけるおそれがある。
【０００７】
以上の問題点に鑑み、本発明の目的は、所定の部分の選択を迅速に且つ効率良く行える選択支援システム及び選択支援方法を提供することである。
【課題を解決するための手段】
【０００８】
上記問題を解決するため、請求項１に記載の発明は、
被写体モデルが複数の視認可能な部分で構成される被写体アイコン画像を表示する表示手段と、
前記被写体アイコン画像の各部分に関連する詳細情報を記憶する記憶手段と、
前記表示された被写体アイコン画像から所定の部分を指定する指定手段と、
前記指定された部分に関連する前記詳細情報を前記記憶手段から抽出して前記表示手段に表示させる制御手段と、
を備えることを特徴としている。
【０００９】
ここで表示手段は、被写体アイコン画像の表示及び表示の制御を行うものである。
【００１０】
請求項１の発明によれば、被写体の所定の部分を選択する際に、複数の視認可能な部分から構成される被写体アイコン画像を用いたＧＵＩ（Graphical User Interface、以下ＧＵＩと略す）を提供して大まかな部分を選択させることで、使用者は直感的に操作の流れを把握することが可能となり、選択作業に伴う負担を低下させることを期待できる。また、選択された部分に対応する詳細情報のみが表示されるため、所望する部分の表示を容易に、迅速且つ効率良く行うことが可能となる。
【００１１】
請求項２に記載の発明は、請求項１に記載の発明において、
前記制御手段は、前記指定された部分に関連する前記詳細情報を前記記憶手段から抽出して前記表示手段に検索可能な状態で表示させることを特徴としている。
【００１２】
ここで、検索可能とは、表示された詳細情報のリスト及び／又は被写体アイコン画像から所望する部分の選択が可能なことを示すものである。
【００１３】
請求項２の発明によれば、大まかな部分が選択されることにより選択された部分に対応する詳細情報のみが検索可能な状態で表示されるため、所望する部分の選択を容易に、迅速且つ効率良く行うことが可能となる。
【００１４】
請求項３に記載の発明は、請求項１又は２に記載の発明において、
前記被写体アイコン画像及び前記指定された部分に関連する詳細情報を前記表示手段の同一画面に表示させる画面制御手段を備えることを特徴としている。
【００１５】
請求項３の発明によれば、被写体アイコン画像と指定された部分に関連する詳細情報が同一画面に表示されるため、使用者は選択した部分の確認を確実に行えるとともに、選択した部分に対応する詳細情報を選択することが可能であるため、所望する部分の選択を容易に、迅速且つ効率良く行うことが可能となる。
【００１６】
請求項４に記載の発明は、
被写体モデルが複数の視認可能な部分で構成される被写体アイコン画像を表示させる表示ステップと、
前記表示された被写体アイコン画像から所定の部分を指定する指定ステップと、
前記指定された部分に関連する前記詳細情報を前記表示ステップに表示させる制御ステップと、
を備えることを特徴としている。
【００１７】
請求項５に記載の発明は、請求項４に記載の発明において、
前記制御ステップは、前記指定された部分に関連する前記詳細情報を前記表示ステップに検索可能な状態で表示させることを特徴としている。
【００１８】
請求項６に記載の発明は、請求項４又は５に記載の発明において、
前記被写体アイコン画像及び前記指定された部分に関連する詳細部分情報を同一画面に表示させる画面制御ステップを備えることを特徴としている。
【発明の効果】
【００１９】
被写体の所定の部分を選択する際に、複数の視認可能な部分から構成される被写体アイコン画像を用いたＧＵＩを提供して大まかな部分を指定させることで、使用者は直感的に操作の流れを把握することが可能となり、選択作業に伴う負担を低下させることが期待できる。また、部分が選択されることにより対応する詳細情報は限定されるため、使用者は、指定された部分に対応して表示される詳細情報のリスト及び／又は被写体アイコン画像から所望する部分の選択を、容易に、迅速且つ効率良く行うことが可能となる。
【００２０】
さらに、本発明を医療の分野に適用して、被写体アイコン画像に人体の形状を模式的に表す人体アイコン画像という認識し易い画像を用いることにより、国や言語を問わずに直感的に操作の流れをイメージすることが可能となる。従って、ＧＵＩは国内外を問わず共通化することが可能であり、表示画面をカスタマイズする量を減らすことができるため、開発労力と開発費用を減少させることが可能となる。
【発明を実施するための最良の形態】
【００２１】
以下、図を参照して本発明の選択支援システムの一例として、医用に適用した医用支援システムを実施するための最良の形態について詳細に説明する。ただし、発明の範囲は、図示例に限定されない。
【００２２】
本発明に係る医用支援システムは、医用画像データに付与された付帯情報に含まれる各種データのうち、撮影部位に関する撮影部位情報に基づいて、医用画像を選択し表示を行うというものである。
【００２３】
なお、医用画像データとは、ＣＲ装置、ＣＴ装置、ＭＲＩ装置等のモダリティにより生成された医用画像データを意味する。
また、付帯情報は、医用画像データに対して付加され、撮影条件を示す情報であって、撮影部位情報の他に、モダリティ情報、撮影方向情報、撮影方法情報、等を含んでもよい。
【００２４】
まず、図１を参照して本実施をするための最良の形態の構成を説明する。
図１は、本発明に係る医用支援システム１の要部構成を示すブロック図である。図１に示すように、医用支援システム１は、ＣＰＵ（Central Processing Unit、以下ＣＰＵと略す）１１、表示部１２、入力部１３、ＲＡＭ（Random Access Memory、以下ＲＡＭと略す）１４、記憶部１５、Ｉ／Ｆ部１６、画像データベース１７等から構成されており、各部はバス１８により接続されている。
【００２５】
ＣＰＵ１１は、記憶部１５に格納されている各種プログラムの中から指定されたプログラムをＲＡＭ１４内の図示しないワークエリアに展開し、入力部１３から入力されるデータに応じてプログラムに従った各種処理を実行し、処理結果をＲＡＭ１４内のワークメモリに格納する。また、処理結果を表示するための表示情報を生成して表示部１２へ出力する。
【００２６】
具体的にＣＰＵ１１は、例えば、表示部１２に人体を模式的にアイコン化した人体アイコン画像を用いたＧＵＩを表示させ、タッチパネル等を備える入力部１３を介して人体アイコン画像の所定の部位が指定されたことを検出すると、入力された概要部位情報に対応する詳細な部位情報を表示部１２に表示させる。なお、ＣＰＵ１１は、請求の範囲に記載される制御手段としての機能を有している。
【００２７】
表示部１２は、ＣＲＴ（Cathode Ray Tube、以下ＣＲＴと略す）、ＬＣＤ（Liquid Crystal Display、以下ＬＣＤと略す）等によってなるモニタを備えて構成され、ＣＰＵ１１から入力される指示に従ってＣＰＵ１１により生成された表示情報や、入力部１３から入力される表示情報をモニタ上に表示する。即ち、表示部１２は、請求の範囲に記載される表示手段としての機能を有している。
【００２８】
入力部１３は、カーソルキー、数字入力キー、及び各種機能キーを備えたキーボードを含み、このキーボードで押下されたキーに対応する押下信号をＣＰＵ１１に出力する。また、入力部１３は、ＣＲＴ、ＬＣＤ等により構成される表示部１２を覆うように設けられたタッチパネルを備えるものとしてもよく、電磁誘導式、磁気歪式、感圧式等の座標読取り原理でタッチ指示された座標を検出し、検出した座標を位置信号としてＣＰＵ１１に出力する。さらに、入力部１３は、必要に応じてマウス等の入力装置を備えるものとしてもよい。なお、入力部１３は、請求の範囲に記載される指定手段としての機能を有している。
【００２９】
ＲＡＭ１４は、ＣＰＵ１１によって実行される各種プログラムやこれら各種プログラムによって処理されたデータ等を一時的に記憶するワークエリアを形成する。
【００３０】
記憶部１５は、プログラムやデータ等があらかじめ記憶されている記録媒体（図示せず）を有しており、この記録媒体は磁気的、光学的記録媒体、若しくは半導体メモリで構成されている。また、この記録媒体は記憶部１５に固定的に設けられるもの、もしくは着脱自在に装着するものであり、システムプログラム、当該システムに対応する各種処理プログラム、及び各種処理プログラムで処理されたデータ等を記憶する。
【００３１】
また、記憶部１５は、人体アイコンの画像を記憶する人体アイコン画像データ１５ａと部位名称のテキストデータを記憶する部位情報データ１５ｂを記憶している。人体アイコン画像データ１５ａと部位情報データ１５ｂは対応付けて記憶されており、例えば、人体アイコン画像データ１５ａの頭部には、部位情報データ１５ｂの脳、視覚部、聴覚部、咀嚼部等の頭部に関する詳細部位情報が対応付けて記憶されている。なお、記憶部１５は、請求の範囲に記載される記憶手段としての機能を有している。
【００３２】
Ｉ／Ｆ部１６は、撮影部（図示せず）や、フィルム出力部（図示せず）を接続するためのデータ入出力ポートを備えるインターフェイスである。Ｉ／Ｆ部１６は、インターフェイスに応じたデータの符号化を行うエンコーダ、及び符号化データの複合化を行うデコーダ等を備え、撮影部から入力されるデータや、フィルム出力部に出力するデータの転送速度の調整、データ形式の変換を行う。
【００３３】
画像データベース１７は、ＣＰＵ１１の制御に従って、Ｉ／Ｆ部１６を介して入力された医用画像データを医用画像データファイルとして記憶する。なお、画像データベースは、医用支援システム１に内蔵される形態であってもよいし、着脱可能な形態であってもよい。
【００３４】
図２は、医用支援システム１において患者の撮影部位を選択する表示画面例を示す図である。図２の領域２１に人体アイコン画像Ｈを用いたＧＵＩが表示される。領域２２には、モダリティを選択又は表示する領域２２Ａと、撮影部位を選択又は表示する領域２２Ｂと、撮影方向を選択又は表示する領域２２Ｃと、撮影方法を選択又は表示する領域２２Ｄと、検査状態を選択又は表示する領域２２Ｅが設けられており、各々リスト形式により選択又は表示が行われる。
【００３５】
ここで、モダリティは、撮影装置の種別を示し、具体的には、ＣＲ、ＣＴ、ＭＲＩ等の種別がある。撮影部位は撮影が行われた部位を示すものであり、領域２１に表示される人体アイコン画像Ｈの各概略部位と対応付けられている。撮影方向は撮影が行われた方向を示すものであり、具体的には正面撮影、背面撮影等がある。撮影方法は撮影が行われた際の方法を示すものであり、単純撮影、造影剤の投与による撮影等がある。検査状態は、医用画像に対する所見を記入するレポートの作成状態を示すものであり、未作成、作成中、保留中、修正待ち、承認待ち、承認済み等がある。
【００３６】
実行釦２３は、指定が完了した後押下されることで、それまで指定されていた撮影条件における医用画像の表示を指示する釦である。
【００３７】
キャンセル釦２４は、押下されることで、それまで指定されていた撮影条件のクリアを指示する釦である。
【００３８】
図３は人体アイコン画像Ｈの具体例を示す図である。
人体アイコン画像Ｈは、人体を１７の部位（頭部Ｈ１、首部Ｈ２、左上腕部Ｈ３、右上腕部Ｈ４、胸部Ｈ５、腹部Ｈ６、左下腕部Ｈ７、右下腕部Ｈ８、左手部Ｈ９、右手部Ｈ１０、腰部Ｈ１１、左太股部Ｈ１２、右太股部Ｈ１３、左脛部Ｈ１４、右脛部Ｈ１５、左足部Ｈ１６、右足部Ｈ１７）に模式的に分割して構成されている。ここで、本実施例では人体を１７の部位に分割したが、分割数及び分割部位はこれに限定されない。
【実施例１】
【００３９】
次に、図４のフローチャートを参照し、実施例１の動作を説明する。
医用画像に関する撮影部位の選択が行われる際に、ＣＰＵ１１により、表示部１２に人体アイコン画像を用いたＧＵＩが表示される（ステップＳ１）。撮影部位の選択を行う医師により、入力部１３を介して人体アイコン画像の概略部位の指定指示が入力される（ステップＳ２）。
【００４０】
続いて、指定指示の入力信号をＣＰＵ１１が受け取ると、ＣＰＵ１１により、人体アイコン画像の指定された概略部位が他の部位との識別のため強調表示され（ステップＳ３）、次いで、記憶部１５から指定された概略部位情報に対応する詳細部位情報が読み出され、読み出された結果が表示部１２に表示される（ステップＳ４）。
【００４１】
医師は、入力部１３を介して、表示部１２に表示された詳細部位情報から所望する部位の選択を行い、撮影方向等のその他撮影条件の選択を行う（ステップＳ５）。
【００４２】
次に、ＣＰＵ１１により撮影条件の選択が終了したか否かの判定が行われる（ステップＳ６）。医師により実行釦が押下されると、ＣＰＵ１１により撮影条件設定完了であると判定され、本処理は終了する。一方、医師によりキャンセル釦が押下されると、ＣＰＵ１１によりそれまで選択された撮影条件がクリアされるとともに、指定された概略部位の強調表示が通常の表示に戻され（ステップＳ７）、ステップＳ２へ再び戻される。
【００４３】
次に、図５を参照し、実施例１の画面操作を説明する。
医師により、医療画像に関する患者の撮影部位が選択される際、ＣＰＵ１１により、記憶部１５からアイコン画像が読み出され、領域２１に人体アイコン画像Ｈを用いたＧＵＩが表示される。
【００４４】
医師により、タッチパネル等を介して人体アイコン画像Ｈの概略部位の指定が行われると、ＣＰＵ１１により、指定された概略部位に対応する部位を他の色とは異なる色に変化させ、他の部位と視覚的に識別可能な表示が行われる。例えば、人体アイコン画像Ｈの頭部が選択されたならば、図５（ａ）で示すように頭部アイコン画像のみ他の部位と異なる色で表示される。ここでは、色を変えることによって選択された部位を他の部位と識別可能としたが、テクスチャ等を使用して選択された部位を他の部位と識別可能としてもよい。
【００４５】
続いて、ＣＰＵ１１により、指定された概略部位に対応する詳細な部位情報が記憶部１５から読み出され、読み出された詳細部位情報が領域２２Ｂにリスト形式で表示される。例えば、人体アイコン画像Ｈの頭部が指定されたならば、図５（ｂ）で示すように頭部アイコン画像に対応付けられている詳細部位情報が記憶部１５より読み出され、読み出された結果が領域２２Ｂにリスト形式で表示される。
【００４６】
医師は、領域２２Ｂに表示された詳細部位情報のリストから、所望する部位を選択することが可能である。さらに、必要に応じて、領域２２Ａのモダリティ、領域２２Ｃの撮影方向、領域２２Ｄの撮影方法、領域２２Ｅの検査状態の選択を行い、撮影条件設定後、実行釦２３を押下する。
【００４７】
医師による実行釦２３の押下信号をＣＰＵ１１が受け取ると、ＣＰＵ１１により撮影条件に該当する医用画像が画像データベース１７から取得が行われる。一方、キャンセル釦２４が押下されたならば、ＣＰＵ１１によりそれまでに選択された撮影条件がクリアされるとともに、指定された人体アイコン画像の概略部位の強調表示が通常の表示に戻され、図２で示す画面が表示部１２に表示される。
【実施例２】
【００４８】
次に、図６のフローチャートを参照し、実施例２の動作を説明する。
医用画像に関する撮影部位の選択が行われる際に、ＣＰＵ１１により、表示部１２に人体アイコン画像を用いたＧＵＩが表示される（ステップＳ１）。撮影部位の選択を行う医師により、入力部１３を介して人体アイコン画像に対して概略部位の指定指示が入力される（ステップＳ２）。
【００４９】
続いて、指定指示の入力信号をＣＰＵ１１が受け取ると、ＣＰＵ１１により、指定された人体アイコン画像の概略部位に対応する詳細な人体アイコン画像が記憶部１５から読み出され表示部１２にＧＵＩとして表示される（ステップＳ３）。さらに、指定された概略部位に対応する詳細部位情報が記憶部１５から読み出され、読み出された結果が表示部１２に表示される（ステップＳ４）。
【００５０】
医師は、入力部１３を介して表示部１２に表示された詳細な人体アイコン画像又は、表示された詳細部位情報から所望する部位の選択を行う。さらに、必要に応じて撮影方向等のその他撮影条件の選択を行う（ステップＳ５）。
【００５１】
次に、ＣＰＵ１１により撮影条件の選択が終了したか否かの判定が行われる（ステップＳ６）。医師により実行釦が押下されると、ＣＰＵ１１により撮影条件設定完了であると判定され、本処理は終了する。一方、医師によりキャンセル釦が押下されると、ＣＰＵ１１によりそれまで選択された撮影条件がクリアされるとともに、選択された概略部位に対応する詳細な人体アイコン画像の表示が通常の人体アイコン画像に戻され（ステップＳ７）、ステップＳ２へと再び戻される。
【００５２】
次に図７を参照し、実施例２の画面操作を説明する。
医師により、医療画像に関する患者の撮影部位が選択される際、ＣＰＵ１１により、記憶部１５からアイコン画像が読み出され、領域２１に人体アイコン画像Ｈを用いたＧＵＩが表示される。
【００５３】
医師により、タッチパネル等を介して人体アイコン画像Ｈの概略部位の指定が行われると、ＣＰＵ１１は、指定された概略部位に対応する詳細な人体アイコン画像を領域２１に表示させる。例えば、人体アイコン画像の頭部が指定されたならば、図７（ａ）で示すように頭部の詳細なアイコン画像を用いたＧＵＩが領域２１に表示される。
【００５４】
さらにＣＰＵ１１により、指定された概略部位に対応する詳細な部位情報が記憶部１５から読み出され、読み出された情報が領域２２Ｂにリスト形式で表示される。例えば、人体アイコン画像Ｈの頭部が指定されたならば、図７（ｂ）で示すように頭部アイコン画像に対応付けられている部位名称が記憶部１５より読み出され、読み出された結果が領域２２Ｂにリスト形式で表示される。
【００５５】
医師は領域２２Ｂに表示された部位名称のリスト若しくは領域２１に表示された詳細な人体アイコン画像から、所望する部位を選択することが可能である。さらに、必要に応じて、領域２２Ａのモダリティ、領域２２Ｃの撮影方向、領域２２Ｄの撮影方法、領域２２Ｅの検査状態の選択を行い、撮影条件設定後、実行釦２３を押下する。
【００５６】
医師による実行釦２３の押下信号をＣＰＵ１１が受け取ると、ＣＰＵ１１により撮影条件に該当する医用画像が画像データベース１７から取得が行われる。一方、キャンセル釦２４が押下されたならば、ＣＰＵ１１によりそれまでに選択された撮影条件がクリアされるとともに、詳細な人体アイコン画像が元の人体アイコン画像に戻され、図２で示す画面が表示部１２に表示される。
【００５７】
また、本実施するための最良の形態においては、医用支援システムとして医用画像を表示し読影する場合を例として説明を行ったが、これに限らず、例えば、撮影オーダの際の撮影部位指定、画像処理装置での撮影部位指定等、適用可能であることは勿論である。
【図面の簡単な説明】
【００５８】
【図１】本発明を適用した実施の形態における医用支援システム１の様部構成を示すブロック図である。
【図２】表示部１２に表示される患者の撮影部位を選択する表示画面例を示す図である。
【図３】人体アイコン画像の一例を示す図である。
【図４】実施例１における部位選択処理を示すフローチャートである。
【図５】実施例１における表示部１２に表示される患者の撮影部位を選択する表示画面例を示す図である。
【図６】実施例２における部位選択処理を示すフローチャートである。
【図７】実施例２における表示部１２に表示される患者の撮影部位を選択する表示画面例を示す図である。
【符号の説明】
【００５９】
１  医用支援システム
１１  ＣＰＵ
１２  表示部
１３  入力部
１４  ＲＡＭ
１５  記憶部
１６  Ｉ／Ｆ部
１７  画像データベース
１８  バス
【図１】
2005080969.tif 000003
【図２】
2005080969.tif 000004
【図３】
2005080969.tif 000005
【図４】
2005080969.tif 000006
【図５】
2005080969.tif 000007
【図６】
2005080969.tif 000008
【図７】
2005080969.tif 000009